(57)【要約】【課題】ハーネス同士の絶縁性を確保すること。【解決手段】電池パック１０は、四角箱状のケース１１の内部に収容された複数の電池モジュールを有している。電池モジュールは、電池セル２２が電池ホルダ２４に保持された状態で並設されている。電池セル２２の正極端子２５には正極ハーネス５２が接続されている。負極端子２６には負極ハーネス５１が接続されている。ケース１１の側壁１４の長手方向に隣り合う電池モジュールの一方を第１の電池モジュールＭ１、他方を第２の電池モジュールＭ３とすると、第１の電池モジュールＭ１の負極ハーネス５１と第２の電池モジュールＭ３の正極ハーネス５２との間には、絶縁部材６１が設けられている。【選択図】図４
2015076382.tif 000002
【特許請求の範囲】
【請求項１】
電気的に接続された複数の電池セルと、
前記複数の電池セルのうち、少なくとも一つの電池セルの正極端子に接続される正極ハーネスと、
前記複数の電池セルのうち、少なくとも一つの電池セルの負極端子に接続される負極ハーネスと、を備える電池モジュールを有し、
前記正極ハーネスと前記負極ハーネスとの間には、絶縁部材が設けられていることを特徴とする電池パック。
【請求項２】
前記負極ハーネスは、前記正極ハーネスが接続される前記正極端子に対し、前記電池セルにおける前記正極端子及び前記負極端子の並設方向に離間した前記負極端子に接続されることを特徴とする請求項１に記載の電池パック。
【請求項３】
前記電池モジュールを複数備え、
複数の前記電池モジュールは、第１の電池モジュールと、第２の電池モジュールとを含み、
前記第１の電池モジュールの前記正極ハーネスと、前記第２の電池モジュールの前記負極ハーネスとの間及び前記第２の電池モジュールの前記正極ハーネスと、前記第１の電池モジュールの前記負極ハーネスとの間の少なくとも一方には、前記絶縁部材が設けられていることを特徴とする請求項１又は請求項２に記載の電池パック。
【請求項４】
電気的に接続された複数の電池セルを有する電池モジュールと、
前記電池モジュールが固定される被固定部材と、
少なくとも一つの前記電池セルの極性の異なる２つの端子のうち、前記被固定部材に近い方の前記端子に接続される第１のハーネスと、
少なくとも一つの前記電池セルの極性の異なる２つの端子のうち、前記被固定部材から遠い方の前記端子に接続される第２のハーネスと、
前記第１のハーネスと前記第２のハーネスとの間に設けられる絶縁部材と、
前記第１のハーネス及び前記第２のハーネスが接続される端子台と、
を有する電池パックの製造方法であって、
前記第１のハーネスを前記端子台に接続した後に前記絶縁部材を配設し、その後前記第２のハーネスを前記端子台に接続することを特徴とする電池パックの製造方法。
【発明の詳細な説明】
【技術分野】
【０００１】
本発明は、複数の電池モジュールを有する電池パック及び電池パックの製造方法に関する。
【背景技術】
【０００２】
複数の電池モジュールを有する電池パックとしては、例えば、特許文献１に記載の二次電池装置が知られている。特許文献１に記載の二次電池装置は、複数の電池積層アッセンブリを備えている。電池積層アッセンブリは、床板と、床板から立設された背面板と、床板上に固定されたベース板とを有している。ベース板上には、電池モジュールが載置されている。
【先行技術文献】
【特許文献】
【０００３】
【特許文献１】特開２０１１−５４３５３号公報
【発明の概要】
【発明が解決しようとする課題】
【０００４】
ところで、複数の電池モジュールをハーネスで接続する場合、ハーネスが意図しない場所で電気的に接続されると、短絡などの原因となり、電池モジュールの故障の原因となるおそれがある。
【０００５】
本発明の目的は、ハーネス同士の絶縁性を確保することができる電池パック及び電池モジュールの製造方法を提供することにある。
【課題を解決するための手段】
【０００６】
上記課題を解決する電池パックは、電気的に接続された複数の電池セルと、前記複数の電池セルのうち、少なくとも一つの電池セルの正極端子に接続される正極ハーネスと、前記複数の電池セルのうち、少なくとも一つの電池セルの負極端子に接続される負極ハーネスと、を備える電池モジュールを有し、前記正極ハーネスと前記負極ハーネスとの間には、絶縁部材が設けられていることを要旨とする。なお、説明の便宜上「備える」と「有する」を区別して記載しているが、両者の意味に差異はなく、少なくとも上記した発明特定事項を含むものであれば、他の事項が含まれていてもよいことを意味する。
【０００７】
これによれば、絶縁部材によって、正極ハーネスと負極ハーネスの絶縁性が確保される。このため、正極ハーネスと負極ハーネスが電気的に接続されることで短絡が生じることが抑止され、電池セルが故障することを抑制することができる。
【０００８】
上記電池パックについて、前記負極ハーネスは、前記正極ハーネスが接続される前記正極端子に対し、前記電池セルにおける前記正極端子及び前記負極端子の並設方向に離間した前記負極端子に接続されることが好ましい。
【０００９】
これによれば、正極端子及び負極端子の並設方向に分かれて設けられた正極ハーネスと負極ハーネス間の絶縁性を確保することができる。
上記電池パックについて、前記電池モジュールを複数備え、複数の前記電池モジュールは、第１の電池モジュールと、第２の電池モジュールとを含み、前記第１の電池モジュールの前記正極ハーネスと、前記第２の電池モジュールの前記負極ハーネスとの間及び前記第２の電池モジュールの前記正極ハーネスと、前記第１の電池モジュールの前記負極ハーネスとの間の少なくとも一方には、前記絶縁部材が設けられていることが好ましい。
【００１０】
これによれば、絶縁部材によって異なる電池モジュールの正極ハーネスと負極ハーネスとの間が絶縁されるため、絶縁部材を用いて複数の電池モジュールの絶縁性を確保することができる。
【００１１】
上記課題を解決する電池パックの製造方法は、電気的に接続された複数の電池セルを有する電池モジュールと、前記電池モジュールが固定される被固定部材と、少なくとも一つの前記電池セルの極性の異なる２つの端子のうち、前記被固定部材に近い方の前記端子に接続される第１のハーネスと、少なくとも一つの前記電池セルの極性の異なる２つの端子のうち、前記被固定部材から遠い方の前記端子に接続される第２のハーネスと、前記第１のハーネスと前記第２のハーネスとの間に設けられる絶縁部材と、前記第１のハーネス及び前記第２のハーネスが接続される端子台と、を有する電池パックの製造方法であって、前記第１のハーネスを前記端子台に接続した後に前記絶縁部材を配設し、その後前記第２のハーネスを前記端子台に接続すること要旨とする。
【００１２】
これによれば、第１のハーネスを端子台に接続した後に、絶縁部材が設けられる。第１のハーネスよりも先に絶縁部材が設けられる場合、被固定部材に近い方の端子は、被固定部材と絶縁部材との間に設けられることから、被固定部材と絶縁部材との間の僅かな空間内で、第１のハーネスの接続作業を行う必要があり、接続が困難である。絶縁部材を配設するよりも先に第１のハーネスを接続することで、広い空間で第１のハーネスの接続作業を行うことができ、第１のハーネスの接続が容易となる。そして、絶縁部材によって第１のハーネスと第２のハーネスの絶縁性が確保されている。
【発明の効果】
【００１３】
本発明によれば、ハーネス同士の絶縁性を確保することができる。
【図面の簡単な説明】
【００１４】
【図１】実施形態における電池パックを示す斜視図。
【図２】実施形態における電池モジュールを示す斜視図。
【図３】実施形態における電池モジュールを示す平面図。
【図４】実施形態における電池パックを示す図１の４−４線断面図。
【図５】実施形態における電池パックの製造工程を説明するための図。
【図６】実施形態における電池パックの製造工程を説明するための図。
【図７】実施形態における電池パックの製造工程を説明するための図。
【図８】変形例の電池パックを示す平面図。
【図９】変形例の電池パックを示す断面図。
【発明を実施するための形態】
【００１５】
以下、電池パックの一実施形態について説明する。
図１及び図４に示すように、電池パック１０は、四角箱状のケース１１の内部に収容された複数の電池モジュールＭ１〜Ｍ４を有している。ケース１１は、矩形板状の底板１２と、底板１２の三辺から立設する矩形板状の側壁１３〜１５とを有する本体１６を有している。本体１６における側壁１３〜１５に囲まれる開口部は天板１７で閉塞され、本体１６における底板１２、天板１７及び側壁１３〜１５に囲まれる開口部は、蓋部材１８で閉塞されている。電池モジュールＭ１〜Ｍ４は、側壁１４に固定されている。したがって、３つの側壁１３〜１５のうち、電池モジュールＭ１〜Ｍ４が固定された側壁１４が被固定部材となる。側壁１５には、ケース１１の内圧が上昇したときに、破断してケース１１内の圧力を開放する圧力開放弁１９が設けられている。本実施形態のケース１１は、ケース１１内の気体が外部に漏れないように構成された密閉ケースである。
【００１６】
電池モジュールＭ１〜Ｍ４は側壁１４の短手方向に二個積層されている。具体的にいえば、電池モジュールＭ１に電池モジュールＭ２が積層され、電池モジュールＭ３に電池モジュールＭ４が積層されている。電池モジュールＭ１と電池モジュールＭ３、電池モジュールＭ２と電池モジュールＭ４は、それぞれ、側壁１４の長手方向に隣り合っている。電池モジュールＭ１〜Ｍ４は、全て同一の電池モジュールであるが、説明の便宜上、電池モジュールＭ１，Ｍ２を第１の電池モジュール、電池モジュールＭ３，Ｍ４を第２の電池モジュールとして説明を行う。
【００１７】
図２及び図３に示すように、電池モジュールＭ１〜Ｍ４は、電池セル２２が電池ホルダ２４に保持された状態で並設されている。各電池セル２２は、正極端子２５及び負極端子２６を有しており、極性の異なる端子が隣り合って配置されるように並設されている。電池モジュールＭ１〜Ｍ４の各電池セル２２は、バスバー２８で電気的に接続されることで直列接続されている。
【００１８】
具体的には、各電池モジュールＭ１〜Ｍ４は、各々７個の電池セル２２からなり、正極端子２５と負極端子２６の向きが逆向きになるように電池セル２２を並設するとともに、７個の電池セル２２が直列に接続されている。
【００１９】
各電池セル２２の正極端子２５と負極端子２６との間には、圧力開放弁２７が設けられている。圧力開放弁２７は、電池セル２２に異常などが生じて、電池セル２２内に気体が発生し、電池セル２２の内圧が高まると開放される。電池モジュールＭ１〜Ｍ４における電池セル２２の並設方向両端には、エンドプレート３０が設けられている。エンドプレート３０には、ブラケット３１が設けられている。電池モジュールＭ１〜Ｍ４は、ブラケット３１がボルトなどで側壁１４に取り付けられることで側壁１４に固定されている。
【００２０】
電池モジュールＭ１〜Ｍ４には、電池モジュールＭ１〜Ｍ４の電力を伝送するための正極ハーネス５２及び負極ハーネス５１が設けられている。本実施形態における電池モジュールＭ１〜Ｍ４は、それぞれ奇数個の電池セル２２を並設しており、各電池セル２２は、極性の異なる正極端子２５と負極端子２６同士が隣り合うように接続されている。このため、電池セル２２の並設方向の一端に設けられた電池セル２２ａと、並設方向の他端に設けられた電池セル２２ｂは、側壁１４側に同一極性の端子が配置されるようにそれぞれ設けられている。そして、並設方向の両端にそれぞれ設けられる電池セル２２ａ，２２ｂには、正極端子２５と負極端子２６のいずれか一方にハーネスが接続される。本実施形態では、電池モジュールＭ１〜Ｍ４は、電池セル２２の並設方向の両端に設けられた電池セル２２ａ，２２ｂの負極端子２６が側壁１４側に設けられるように配置されており、正極端子２５が側壁１４から離間して設けられている。そして、電池セル２２ａの正極端子２５に正極ハーネス５２が接続され、電池セル２２ｂの負極端子２６に負極ハーネス５１が接続されている。すなわち、負極ハーネス５１が、正極ハーネス５２よりも側壁１４に近くなる。
【００２１】
第１の電池モジュールＭ１，Ｍ２の負極ハーネス５１は、第２の電池モジュールＭ３，Ｍ４側に設けられている。第２の電池モジュールＭ３，Ｍ４の正極ハーネス５２は、第１の電池モジュールＭ１，Ｍ２側に設けられている。第１の電池モジュールＭ１，Ｍ２の負極ハーネス５１と第２の電池モジュールＭ３，Ｍ４の正極ハーネス５２は、側壁１４の厚み方向に離間して設けられている。
【００２２】
第１の電池モジュールＭ１，Ｍ２の負極ハーネス５１と第２の電池モジュールＭ３，Ｍ４の正極ハーネス５２との間には、絶縁部材６１が設けられている。絶縁部材６１は、例えば、発泡スチロールなど、絶縁性の樹脂である。絶縁部材６１は、四角板状をなしている。
【００２３】
図１に示すように、第２の電池モジュールＭ３，Ｍ４と天板１７との間には、第１の端子台７１が設けられている。第１の電池モジュールＭ１，Ｍ２と天板１７との間には、第２の端子台７２が設けられている。第１の端子台７１には、各電池モジュールＭ１〜Ｍ４に接続された負極ハーネス５１が接続されている。第２の端子台７２には、各電池モジュールＭ１〜Ｍ４に接続された正極ハーネス５２が接続されている。各電池モジュールＭ１〜Ｍ４は、第１の端子台７１により各負極ハーネス５１が電気的に接続され、第２の端子台７２により正極ハーネス５２が電気的に接続されることで、並列接続されている。そして、第１の端子台７１及び第２の端子台７２に設けられる図示しないパワー線が負荷に接続される。
【００２４】
次に、本実施形態の電池パック１０の製造方法の一工程である電池モジュールＭ１〜Ｍ４をケース１１に取り付ける工程について説明する。電池モジュールＭ１〜Ｍ４の取り付けは、天板１７及び蓋部材１８を取り外した状態で行われる。まず、各電池モジュールＭ１〜Ｍ４を側壁１４に固定する。
【００２５】
次に、図５に示すように、負極ハーネス５１及び正極ハーネス５２のうち、電池モジュールＭ１〜Ｍ４が固定される側壁１４に近い端子（本実施形態では負極端子２６）に接続されるハーネスである負極ハーネス５１を第１の端子台７１に接続する。したがって、本実施形態では、負極ハーネス５１が第１のハーネスとなる。
【００２６】
次に、図６に示すように、第１の電池モジュールＭ１，Ｍ２と第２の電池モジュールＭ３，Ｍ４との間に、絶縁部材６１を配設する。
次に、図７に示すように、負極端子２６よりも側壁１４から遠い端子（本実施形態では正極端子２５）に接続されるハーネスである正極ハーネス５２を第２の端子台７２に接続する。そして、天板１７及び蓋部材１８によってケース１１を閉塞することで、電池パック１０が製造される。したがって、本実施形態では、正極ハーネス５２が第２のハーネスとなる。
【００２７】
負極ハーネス５１を第１の端子台７１に接続する前に絶縁部材６１を第１の電池モジュールＭ１，Ｍ２と第２の電池モジュールＭ３，Ｍ４との間に設けると、絶縁部材６１と側壁１４との間には、僅かな空間しか残らず、この狭い空間内で、負極ハーネス５１を第１の端子台７１に接続するのは困難である。負極ハーネス５１を第１の端子台７１に接続した後に、絶縁部材６１を設けることで、狭い空間で作業を行う必要がなく、負極ハーネス５１を接続しやすい。また、正極ハーネス５２が設けられている側は、開口しているため、絶縁部材６１が設けられた後に、正極ハーネス５２を第２の端子台７２に接続することは容易である。
【００２８】
次に、本実施形態の電池パック１０の作用について説明する。
正極ハーネス５２と負極ハーネス５１との間に、絶縁部材６１を設けているため、正極ハーネス５２と負極ハーネス５１が接触することが、絶縁部材６１によって抑制される。このため、正極ハーネス５２と負極ハーネス５１の短絡が抑制されている。
【００２９】
ところで、本実施形態のように、電池パック１０のケース１１に圧力開放弁１９が設けられている場合、ケース１１の内圧が上昇すると、圧力開放弁１９が破断して、ケース１１内の圧力が開放される。ケース１１の内圧は、電池セル２２の圧力開放弁２７から排出される気体によって上昇する。このとき、電池パック１０内の空間が多いと、電池パック１０内の内圧が上昇しにくい。結果として、電池セル２２に異常が生じて、電池セル２２から気体が排出されても、圧力開放弁１９が破断しにくく、ケース１１内に電池セル２２から排出された気体が充満するおそれがある。そして、これらの気体が、電池セル２２の故障の原因となるおそれがある。
【００３０】
本実施形態では、絶縁部材６１を設けることで、ケース１１の内部の空間が、絶縁部材６１の分だけ少なくなっている。このため、電池セル２２から気体が排出されると、ケース１１の内圧が上昇しやすい。
【００３１】
第１の電池モジュールＭ１，Ｍ２と第２の電池モジュールＭ３，Ｍ４を互いに近づけ、ケース１１をその分だけ小さくすることで空間を小さくすることも考えられるが、第１の電池モジュールＭ１，Ｍ２と第２の電池モジュールＭ３，Ｍ４を近付けすぎると、第１の電池モジュールＭ１，Ｍ２及び第２の電池モジュールＭ３，Ｍ４の異なる極性の端子に接続されるハーネス同士が電気的に接続されてしまうおそれがある。本実施形態では、第１の電池モジュールＭ１，Ｍ２の負極ハーネス５１と第２の電池モジュールＭ３，Ｍ４の正極ハーネス５２との間に絶縁部材６１を設けている。これにより、負極ハーネス５１と正極ハーネス５２の短絡を抑制しつつ、ケース１１内の空間を小さくすることができる。
【００３２】
したがって、上記実施形態によれば、以下のような効果を得ることができる。
（１）正極端子２５に接続された正極ハーネス５２と、負極端子２６に接続された負極ハーネス５１との間に、絶縁部材６１を設けている。このため、正極ハーネス５２と負極ハーネス５１とが電気的に接続されて、短絡することを抑制することができる。
【００３３】
（２）また、絶縁部材６１を設けることで、ケース１１内の空間を小さくすることができる。このため、電池セル２２に異常が生じたときに、電池セル２２から気体が排出されると、ケース１１の内圧が上昇しやすい。このため、電池セル２２から排出された気体がケース１１内で充満することが抑制され、電池セル２２の故障を抑制することができる。
【００３４】
（３）第１の電池モジュールＭ１，Ｍ２の負極ハーネス５１と、第２の電池モジュールＭ３，Ｍ４の正極ハーネス５２との間、すなわち、異なる電池モジュールＭ１〜Ｍ４の正極ハーネス５２と負極ハーネス５１との間に絶縁部材６１を設けている。このため、単一の絶縁部材６１を用いて複数の電池モジュールＭ１〜Ｍ４の絶縁性を確保することができる。
【００３５】
（４）側壁１４に近い負極端子２６に接続される負極ハーネス５１を、絶縁部材６１を設けるよりも先に第１の端子台７１に接続している。このため、絶縁部材６１を設けた後に、側壁１４と絶縁部材６１との間の僅かな空間でハーネス５１，５２の接続作業を行う必要がなく、負極ハーネス５１を第１の端子台７１に接続しやすい。
【００３６】
（５）各負極ハーネス５１は、正極ハーネス５２よりも側壁１４に近い。各正極ハーネス５２は、負極ハーネス５１よりも側壁１４から遠い。同一極性のハーネス５１，５２を同一方向に纏めることで、異なる極性のハーネス５１，５２同士が接触しにくい。
【００３７】
なお、実施形態は、以下のように変更してもよい。
○  図８に示すように、絶縁部材６１は、同一の電池モジュール８１に接続される正極ハーネス５２と負極ハーネス５１との間に設けられていてもよい。正極ハーネス５２と、負極ハーネス５１とは、ともに電池セル２２の並設方向の同一方向に延びて、端子台に接続される。この場合、電池パック１０を単一の電池モジュール８１で構成してもよい。
【００３８】
○  図９に示すように、第１の電池モジュールＭ１、Ｍ２と第２の電池モジュールＭ３，Ｍ４にそれぞれ接続される正極ハーネス５２と負極ハーネス５１は、それぞれ別々の端子台９１〜９４に接続されていてもよい。この場合、端子台９１〜９４に正極ハーネス５２と負極ハーネス５１を接続するときに、異なる極性のハーネス同士が交差しにくい。第１の電池モジュールＭ１，Ｍ２と第２の電池モジュールＭ３，Ｍ４を近づけると、第１の電池モジュールＭ１，Ｍ２の負極ハーネス５１と第２の電池モジュールＭ３，Ｍ４の正極ハーネス５２が接触するおそれがある。このため、第１の電池モジュールＭ１，Ｍ２の負極ハーネス５１と第２の電池モジュールＭ３，Ｍ４の正極ハーネス５２の間に絶縁部材を設ける。なお、図９に示すように第１の電池モジュールＭ１、Ｍ２に設けられる正極ハーネス５２と負極ハーネス５１との間隔及び第２の電池モジュールＭ３、Ｍ４に設けられる正極ハーネス５２と負極ハーネス５１との間隔が充分に空いていれば絶縁部材を設ける必要はないが、第１の電池モジュールＭ１、Ｍ２に設けられる正極ハーネス５２と負極ハーネス５１との間隔及び第２の電池モジュールＭ３、Ｍ４に設けられる正極ハーネス５２と負極ハーネス５１との間隔が狭い場合は、絶縁部材を設けてもよい。
【００３９】
○  実施形態では、各電池モジュールＭ１〜Ｍ４の電池セル２２は、全て電気的に接続されていたが、各電池モジュールＭ１〜Ｍ４の電池セル２２の一部を電気的に接続して、複数の電池群から電池モジュールＭ１〜Ｍ４を構成してもよい。例えば、実施形態のように電池セル２２が７個あれば、３個の電池セルを接続した電池群と、４個の電池セルの接続した電池群から電池モジュールＭ１〜Ｍ４を構成してもよい。
【００４０】
○  電池モジュールＭ１〜Ｍ４は、直列接続されていてもよい。
○  負極ハーネス５１と正極ハーネス５２は、電池セル２２の並設方向の両端以外の電池セル２２に接続されていてもよい。
【００４１】
○  電池セル２２の並設方向の両端の電池セル２２ａ，２２ｂの正極端子２５が側壁１４側に設けられていてもよい。この場合、正極ハーネス５２が第１のハーネスとなり、負極ハーネス５１が第２のハーネスとなる。
【００４２】
○  電池モジュールＭ１に接続されるハーネスと電池モジュールＭ２に接続されるハーネス（電池モジュールＭ１とは極性の異なるハーネス）の間に絶縁部材を設けてもよい。同様に、電池モジュールＭ３に接続されるハーネスと電池モジュールＭ４に接続されるハーネス（電池モジュールＭ３とは極性の異なるハーネス）の間に絶縁部材を設けてもよい。
【００４３】
○  電池セル２２を並列接続した電池モジュールＭ１〜Ｍ４を用いてもよい。
○  複数の電池モジュールＭ１〜Ｍ４は、全て同一構成としたが、異なる電池モジュールＭ１〜Ｍ４を用いてもよい。例えば、二つのハーネスの両方が正極端子２５に接続された電池モジュールと、二つのハーネスの両方が負極端子２６に接続された電池モジュールとを並設して、それぞれの電池モジュールのハーネス間に絶縁部材６１を設けてもよい。
【００４４】
○  電池モジュールＭ１〜Ｍ４の電池セル２２の数は、２個以上であれば適宜変更してもよい。電池セル２２は、奇数個であってもよいし、偶数個であってもよい。電池セル２２を直列接続する場合には、電池セル２２が偶数個か奇数個かによって、ハーネス５１，５２が接続される端子２５，２６が異なる。
【００４５】
○  第１の電池モジュールＭ１，Ｍ２と側壁１３との間及び第２の電池モジュールＭ３，Ｍ４と側壁１５との間にも絶縁部材６１を設けてもよい。
○  電池モジュールＭ１〜Ｍ４は、増やしてよいし、減らしてもよい。
【００４６】
次に、上記実施形態及び変形例から把握することができる技術的思想について以下に追記する。
（イ）前記電池モジュールを収容する密閉ケースを備えることを特徴とする請求項１〜請求項３のうちいずれか一項に記載の電池パック。
【００４７】
（ロ）前記密閉ケースには、前記密閉ケースの内圧を開放する圧力開放弁が設けられていることを特徴とする技術的思想（イ）に記載の電池パック。
（ハ）前記電池モジュールは、前記電池セルを奇数個有し、前記電池セルは直列接続されていることを特徴とする請求項２に記載の電池パック。
【符号の説明】
【００４８】
１０…電池パック、１４…側壁、Ｍ１〜Ｍ４…電池モジュール、２２…電池セル、２５…正極端子、２６…負極端子、５１…負極ハーネス、５２…正極ハーネス、６１…絶縁部材、７１…第１の端子台、７２…第２の端子台。
【図１】
2015076382.tif 000003
【図２】
2015076382.tif 000004
【図３】
2015076382.tif 000005
【図４】
2015076382.tif 000006
【図５】
2015076382.tif 000007
【図６】
2015076382.tif 000008
【図７】
2015076382.tif 000009
【図８】
2015076382.tif 000010
【図９】
2015076382.tif 000011